(57)【要約】【課題】  正当にコインを投入しないで不当に利益を得るような不正を防止する。【解決手段】  コイン投入口３から投入されたコインＣを選別するコイン選別部１３の下流側に、コイン転動方向に対して順番に３個のコインセンサ１４，１５，１６が設けられている。このうち、コインセンサ１４，１６はコインを非接触状態で検出し、コインセンサ１５にはコインに接触することによりコインを検出する作動片が設けられている。制御部では、３個のコインセンサ１４，１５，１６の順に検出が行われない場合およびコインセンサ１５による検出時間が予め設定した時間よりも長い場合は不正行為と判断する。【選択図】  図１
2006280451.tif 000002
【特許請求の範囲】
【請求項１】
コインが投入されるコイン投入口と、このコイン投入口から投入されたコインを径方向に転動させるコイン転動通路と、このコイン転動通路中を転動するコインを選別するコイン選別部と、このコイン選別部を通過した正規コインを検出する複数のコインセンサとを備えたコイン処理装置において、前記複数のコインセンサを前記コイン選別部の下流側に設け、これら複数のコインセンサのうちの少なくとも一つに、前記コイン転動通路中を転動するコインとの接触によって検出する作動部材を設けたことを特徴とするコイン処理装置。
【請求項２】
請求項１記載のコイン処理装置において、前記作動部材によって検出するコインセンサを他のコインセンサのうちの少なくとも１つよりもコイン転動方向下流側に設けたことを特徴とするコイン処理装置。
【発明の詳細な説明】
【技術分野】
【０００１】
本発明は、スロットマシンや弾球遊技機等の遊技機あるいは自動販売機のようにコイン（硬貨に限らず、メダル、トークン等の遊技媒体を含む）を使用する機器に付設されるコイン処理装置に関するものである。
【背景技術】
【０００２】
この種のコイン処理装置においては、コインを棒状体等の先端に取り付け、一旦投入されたコインを引き抜く等の不正が発生しており、これを防止する対策を施した構造が採用されている。すなわち、コイン投入口から投入されコイン選別部を通過した正規コインを検出するコイン受付信号出力センサとコイン逆流チェック用センサとを備え、これら両センサをコイン転動通路中の上流と下流とに位置付け、下流に設けたコイン逆流チェック用センサによって棒状体によるコインの引き抜き等の不正を検出するものがある（例えば、特許文献１および特許文献２参照）。
【特許文献１】特開平５−８１５５５号公報（段落「００１５」および「００１６」、図１および図４）
【特許文献２】特開２００４−１６６８０６号公報（段落「００２５」および「００３８」〜「００４０」、図５および図６）
【発明の開示】
【発明が解決しようとする課題】
【０００３】
上述した従来のコイン処理装置においては、コイン受付信号出力センサとコイン逆流チェック用センサを誤認識させることにより、正当にコインを投入しないで不当に利益を得るような不正を完全には防止できないという問題があった。すなわち、棒状体に替えて先端部に２個のＬＥＤを埋設した透明な長尺状のプラスチック板を用意し、このプラスチック板に埋設した各ＬＥＤをコイン受付信号出力センサとコイン逆流チェック用センサとのそれぞれに位置付ける。この状態で各ＬＥＤを順次発光させることにより、両センサではコインが恰も通過したと誤認識してしまうため、不正が行われてしまうというものである。
【０００４】
本発明は上記した従来の問題に鑑みなされたものであり、その目的とするところは、正当にコインを投入しないで不当に利益を得るような不正を防止することにある。
【課題を解決するための手段】
【０００５】
この目的を達成するために、請求項１に係る発明は、コインが投入されるコイン投入口と、このコイン投入口から投入されたコインを径方向に転動させるコイン転動通路と、このコイン転動通路中を転動するコインを選別するコイン選別部と、このコイン選別部を通過した正規コインを検出する複数のコインセンサとを備えたコイン処理装置において、前記複数のコインセンサを前記コイン選別部の下流側に設け、これら複数のコインセンサのうちの少なくとも一つに、前記コイン転動通路中を転動するコインとの接触によって検出する作動部材を設けたものである。
【０００６】
請求項２に係る発明は、請求項１に係る発明において、前記作動部材によって検出するコインセンサを他のコインセンサのうちの少なくと１つよりもコイン転動方向下流側に設けたものである。
【発明の効果】
【０００７】
請求項１に係る発明によれば、透明な長尺状のプラスチック板の先端部に埋設したＬＥＤをコインセンサに位置付け、ＬＥＤを発光させることによりコインセンサに対してコインが通過したと誤認識させようとする不正を行おうとすると、プラスチック板が作動部材に接触したままの状態になる。したがって、制御部において、作動部材を設けたコインセンサによる検出時間が、予め設定した設定時間よりも長くなった場合に、プラスチック板による不正が行われていると判断させることにより、正当にコインを投入しないで不当に利益を得るような不正を防止できる。
【０００８】
請求項２に係る発明によれば、透明な長尺状のプラスチック板に埋設したＬＥＤを各コインセンサに対応させる際に、上流側のＬＥＤを点灯させる以前に、下流側に設けたコインセンサの作動部材がプラスチック板に接触するため、下流側のコインセンサが上流側のコインセンサよりも先に検出してしまう。このため、コインセンサの検出の順番が正常でないと判断されるため、不正行為を規制することができる。
【発明を実施するための最良の形態】
【０００９】
以下、本発明の実施の形態を図に基づいて説明する。図１は本発明に係るコイン処理装置の正面図、図２は図１におけるII-II 線断面図で、同図（Ａ）はコインが投入される直前の状態を示し、同図（Ｂ）は正規コインをコインセンサによって検出している状態を示し、図３は同じくコイン処理装置の構成を示すブロック図である。
【００１０】
図１で全体を符号１で示すコイン処理装置は、略正方形に形成された基板２を備えており、この基板２の左側上端にはコイン投入口３が設けられている。このコイン投入口３の横幅Ｌは、正規コインＣ１の直径よりもわずかに大きく形成されており、このコイン投入口３に正規コインＣ１よりも直径が大きく形成された疑似コインは投入できないように構成され、このコイン投入口３が大径疑似コインの外径を選別する選別部として機能する。４は基板２に設けられコイン投入口３から投入されたコインＣが径方向に転動するコイン転動通路であって、コイン投入口３の直下に設けられた垂直通路５と、この垂直通路５から図中右下がりに傾斜した傾斜通路６とによって構成されており、傾斜通路６を通過した正規コインＣ１はコイン収納部７に収納される。
【００１１】
８はレール部材であって、基板２に軸９を介して紙面の表裏方向へ揺動自在に支持されており、図示を省略したソレノイドを駆動源として紙面の表裏方向へ揺動され、表面方向へ揺動させることにより上端に形成したレール部１０が傾斜通路６に進出し、このレール部１０が傾斜通路６を転動するコインＣを支承するコイン軌道を構成している。一方、レール部材８をソレノイドによって裏面側に揺動させることによりレール部１０が傾斜通路６から退避し、傾斜通路６を転動してきたコインＣが傾斜通路６から落下し、コイン返却部１１に返却されるように構成されている。
【００１２】
１３は従来から広く知られているコインの外径を選別するコイン選別部であって、正規コインＣ１はこのコイン選別部１３を通過してコイン収納部７へ収納され、正規コインよりも小径の疑似コインＣ２はコイン選別部１３からコイン返却部１１に返却される。
【００１３】
傾斜通路６の終端側、すなわちコイン選別部１３のコイン転動方向下流側には、コインの転動方向上流側から３つのコインセンサ１４，１５，１６が設けられおり、これらコインセンサ１４，１５，１６は正規コインＣ１を同時に検出できる程度に互いに近接している。このうち２つのコインセンサ１４，１６は傾斜通路６の上部側に設けられ、コインセンサ１５は傾斜通路６の下部側に設けられている。コインセンサ１４，１６は、傾斜通路６を挟むようにして設けられた発光素子と受光素子とによって構成され、これら両素子間を通過する正規コインＣ１が発光素子から発光された光を遮断することによりコインの検出が行われる光センサを形成している。
【００１４】
一方、コインセンサ１５は、傾斜通路６を転動する正規コインＣ１が接触することにより揺動する作動部材としての作動片１７と、この作動片１７を介して正規コインＣ１を検出する光センサ１８と、作動片１７を付勢する引張りコイルばね１９とによって概ね構成されている。作動片１７は、図２に示すように、基板２に一体に突設した軸支承部２０に横架された軸２１に揺動自在に支持されており、正規コインＣ１が接触する作動部２２と、傾斜通路６内を逆流する部材を係止する係止部２３と、光センサ１８をＯＮ，ＯＦＦする光遮断部２４とによって形成されている。
【００１５】
作動片１７の作動部２２は平面視において略直角三角形に形成され、引張りコイルばね１９の引張力によって基板２に設けた窓２５から傾斜通路６内に臨み、傾斜部２２ａがコイン転動方向上流側（矢印Ｂ方向）を指向し、垂直部２２ｂがコイン転動方向下流側（矢印Ａ方向）を指向している。作動片１７の係止部２３は、傾斜通路６内を逆流する部材が垂直部２２ｂに接触し、この部材によって作動片１７を引張りコイルばね１９の引張力に抗して軸２１を中心として時計方向に回動させようとすると、窓２５の端縁２５ａに係合し、作動片１７の回動を規制する。２７は基板２から一体に突設されたセンサホルダー２７であって、センサホルダー２７の先端部には二股状に分岐したホルダー部２８，２８が設けられている。各ホルダー部２８，２８には、光センサ１８を構成する発光素子と受光素子が収納されており、これらホルダー部２８，２８間に作動片１７の光遮断部２４が進退するように構成されている。
【００１６】
このような構成において、コイン投入口３から投入されコイン選別部１３によって選別された正規コインＣ１が、作動片１７の作動部２２の傾斜部２２ａに当接することにより、作動片１７が図２（Ｂ）に示すように引張りコイルばね１９の引張力に抗して、軸２１を中心として図中反時計方向へ回動する。作動片１７が反時計方向へ回動することにより、光遮断部２４がセンサホルダー２７のホルダー部２８，２８間に進出するため、光センサ２８によってコインが検出される。２９は基板２に対向し転動通路４を形成するフラッパであって、図示を省略した返却レバーを操作することにより、基板２から離間し、転動通路４中のコインをコイン返却部１１に返却する。なお、引張りコイルばね１９の引張力は、正規コインＣ１の転動を阻害しない程度で、かつ作動片１７の姿勢を保持できる程度の最小限の大きさに設定している。
【００１７】
図３において、３０は各コインセンサ１４，１５，１６からの検出結果によって不正行為が行われているか否かを判断する制御部である。すなわち、正規コインＣ１を、コインセンサ１４、コインセンサ１５、コインセンサ１６の順序で検出し、かつこれら３つのコインセンサ１４，１５，１６が同時に検出するタイミングが存在する場合は、不正行為が行われていない正常な状態と判断する。また、コインセンサ１５による検出時間が、予め設定した時間Ｔよりも長い場合は制御部３０において不正行為が行われていると判断する。すなわち、制御部３０に設けられたタイマー３１によってコインセンサ１５の検出時間Ｔ１を計時し、制御部３０においては、検出時間Ｔ１と予め設定された時間Ｔと比較し、Ｔ１＜Ｔであれば不正行為が行われていない正常な状態と判断する。一方、制御部３０においては、Ｔ１＞Ｔであれば不正行為が行われていると判断し、報知手段３２として、このコイン処理装置１が付設される遊技機の表示部（いずれも図示せず）に異常表示がされるように制御する。
【００１８】
次に、このように構成されたコイン処理装置１において、コインの処理動作および不正が行われたときの検出方法について説明する。先ず、正規コインＣ１が投入された場合の処理動作について説明する。コイン投入口３から投入された正規コインＣ１は、コイン選別部１３によって選別されコイン選別部１３を通過して傾斜通路６を転動し、コインセンサ１４、コインセンサ１５、コインセンサ１６の順序で検出され、かつこれら３つのコインセンサ１４，１５，１６によって同時に検出されるタイミングが存在する。また、制御部３０のタイマー３１によって計時されるコインセンサ１５の検出時間Ｔ１が、制御部３０において予め設定された時間Ｔよりも短いため、制御部３０においては、不正行為が行われていない正常な状態と判断するので、正規コインＣ１はコイン転動通路４の終端からコイン収納部７に収納される。
【００１９】
次に、例えば、先端部に３個のＬＥＤを埋設した透明な長尺状のプラスチック板によってコインセンサ１４，１５，１６を誤検出させ不正しようとする場合について説明する。プラスチック板をコイン投入口３から投入し、３個のＬＥＤを各コインセンサ１４，１５，１６に対応させ、コインセンサ１４，１５，１６が恰も正規コインＣ１が通過したと誤認識させるように、各ＬＥＤを点灯、消灯、点灯させる。このとき、コインセンサ１４に対応させたＬＥＤの消灯させる以前に、コインセンサ１５に対応するプラスチック板が作動片２２の作動部２２に接触するため、下流側のコインセンサ１５が上流側のコインセンサ１４よりも先にプラスチック板を検出してしまう。このため、制御部３０においては、コインセンサ１４，１５，１６による検出の順番が正常ではなく異常と判断し、このコイン処理装置１が付設された遊技機の表示部に異常表示がされる。
【００２０】
また、３個のＬＥＤを各コインセンサ１４，１５，１６に対応させ、コインセンサ１４，１６を連続的に点灯、消灯を繰り返し、恰も正規コインＣ１が複数個通過したような不正を行おうとした場合は、コインセンサ１５の作動片がプラスチック板に接触したままの状態になる。このため、制御部３０においては、コインセンサ１５の検出時間Ｔ１と予め設定された時間Ｔと比較し、Ｔ１＞Ｔであるため不正行為が行われていると判断し、報知手段３２によって異常表示がされるように制御する。
【００２１】
なお、本実施の形態においては、コインセンサ１５をコインセンサ１４とコインセンサ１６との間に設けたが、コインセンサ１６の下流側に設けてもよい。また、コインセンサ１６を設けたが、少なくともコインセンサ１４とコインセンサ１５とを設ければよい。また、コインセンサ１４，１６を光センサとしたが、コインと非接触状態で検出できる静電センサや超音波センサ等でもよい。
【図面の簡単な説明】
【００２２】
【図１】本発明に係るコイン処理装置の正面図である。
【図２】図１におけるII-II 線断面図で、同図（Ａ）はコインが投入される直前の状態を示し、同図（Ｂ）は正規コインをコインセンサによって検出している状態を示す。
【図３】本発明に係るコイン処理装置の構成を示すブロック図である。
【符号の説明】
【００２３】
１…コイン処理装置、３…コイン投入口、４…コイン転動通路、７…コイン収納部、８…レール部材、１１…コイン返却部、１３…コイン選別部、１４，１５，１６…コインセンサ、１７…作動片、１８…光センサ、３０…制御部、３１…タイマー、３２…報知手段、Ｃ…コイン、Ｃ１…正規コイン、Ｃ２…小径疑似コイン。
【図１】
2006280451.tif 000003
【図２】
2006280451.tif 000004
【図３】
2006280451.tif 000005